(57)【特許請求の範囲】
【請求項１】
浮体構造物を複数のブロック体に分割し、各ブロック体をドック内で建造した後、各ブロック体を浮上させてドック外に移動させ、複数のブロック体を接合して浮体構造物を完成させる浮体構造物の建造方法であって、
前記ブロック体のうち少なくとも一つのブロック体は、浮上時に一方向に傾斜又は傾倒する程度に重心がずれた偏心ブロック体であり、該偏心ブロック体の建造時に、偏心方向と反対側の側面部に荷重を付加する付加重量体を接続するとともに、前記偏心ブロック体の偏心方向と略垂直方向の両側面部に浮力体を接続し、前記偏心ブロック体の浮上時に生ずる傾斜又は傾倒を抑制するようにバランスを保持し、複数の前記ブロック体を接合して前記浮体構造物を完成させた後、前記偏心ブロック体から前記付加重量体及び前記浮力体を除去する、ことを特徴とする浮体構造物の建造方法。
【請求項２】
前記浮体構造物を複数のブロック体に分割する際に、浮上時に一方向に傾倒しない安定ブロック体と、前記偏心ブロック体とに分割する、ことを特徴とする請求項１に記載の浮体構造物の建造方法。
【請求項３】
前記浮体構造物を複数のブロック体に分割した際に、浮上時に傾倒する方向が定まらない不安定ブロック体を有し、該不安定ブロック体の揺動方向と略垂直方向の側面部に浮力体を接続して、該不安定ブロック体の浮上時のバランスを保持するようにした、ことを特徴とする請求項１に浮体構造物の建造方法。
【請求項４】
浮体構造物を複数のブロック体に分割し、各ブロック体をドック内で建造した後、各ブロック体を浮上させてドック外に移動させ、複数のブロック体を接合して浮体構造物を完成させる際に使用される浮体構造物の建造装置であって、
前記ブロック体のうち浮上時に一方向に傾斜又は傾倒する程度に重心がずれた偏心ブロック体に対して、偏心方向と反対側の側面部に接続される付加重量体と、前記偏心ブロック体の偏心方向と略垂直方向の両側面部に接続される浮力体と、を有し、
前記付加重量体及び前記浮力体は、前記偏心ブロック体の浮上時に生ずる傾斜又は傾倒を抑制するように配置され、複数の前記ブロック体を接合して前記浮体構造物を完成させた後、前記偏心ブロック体から除去されるように構成されている、
ことを特徴とする浮体構造物の建造装置。
【請求項５】
前記浮体構造物を複数のブロック体に分割した際に、浮上時に傾倒する方向が定まらない不安定ブロック体を有し、該不安定ブロック体の揺動方向と略垂直方向の側面部に接続された浮力体を有する、ことを特徴とする請求項４に記載の浮体構造物の建造装置。
【発明の詳細な説明】
【技術分野】
【０００１】
本発明は、複数のブロック体に分割されて建造される浮体構造物の建造方法及び装置に関し、特に、分割されたブロック体のバランスを保持して完成体である浮体構造物を建造することができる浮体構造物の建造方法及び装置に関する。
【背景技術】
【０００２】
海上等に配置される石油掘削リグ等の浮体構造物は、船舶を建造するドックで建造されることが多い。例えば、特許文献１には、ドック底上に複数の盤木を配設して盤木上に浮体構造物を建造する方法（特許文献１図４参照）、ドック内に注水して浮上させた建造用浮体上に順次浮体構造物を建造する方法（特許文献１図５参照）、浮体構造物を盤木上でブロック建造するとともにドック内に注水して建造中の浮体構造物に浮力を発生させてドックの負担重量を軽減する方法（特許文献１図１〜図３参照）が開示されている。また、特許文献１には、浮体構造物の形態によって局部的に異なる浮力が発生する場合には、浮力の過大な部分にバラストを積載することにより全体の浮力バランスをとってもよい旨も記載されている。
【０００３】
ところで、特許文献１に記載された浮体構造物の建造方法は、ドック内に収容可能な大きさの浮体構造物の建造を前提としており、ドック内に収容できない大きさの浮体構造物の建造には適していない。ドック内に収容できない浮体構造物をドック内で建造しようとした場合には、浮体構造物を左右に分割しなければならないためである。浮体構造物は、完成体の状態で浮上時のバランスが適切に確保されるものであり、左右方向に分割されたブロック体の状態では、浮上時にバランスを適切に保持することができない。
【０００４】
ここで、図６は、従来の浮体構造物の建造方法で、ドック内に収容できない大きさの浮体構造物を建造しようとした場合を示す図であり、（Ａ）は浮体構造物の完成体の状態、（Ｂ）は浮体構造物を左右に分割したブロック体を建造した状態、（Ｃ）はドック内に注水を開始した状態、（Ｄ）はブロック体が傾倒した状態を示している。
【０００５】
図６（Ａ）に示すように、ここでは浮体構造物６１の幅Ｄがドック６２の幅ｄよりも大きい場合には、例えば、浮体構造物６１を点線部分で左右に分割しなければならない。このとき、分割されたブロック体は、重心が分割面側にずれた偏心ブロック体６３を構成することとなる。これは、偏心ブロック体６３，６３が接合された完成体である浮体構造物６１の状態でバランスが保持できるように構成されているためである。この偏心ブロック体６３，６３は、図６（Ｂ）に示すように、ドック６２内で個別に建造される。そして、完成した偏心ブロック体６３，６３をドック内で浮上させてドック６２外の広い水域に移動させ、偏心ブロック体６３，６３を接合して浮体構造物６１を完成させる。このとき、図６（Ｃ）に示すように、偏心ブロック体６３を浮上させようとした場合、偏心ブロック体６３単体では浮上時のバランスを保持できないため、一方向にトリム又はヒールが生じて傾いた状態となる。そのまま注水を続けると、図６（Ｄ）に示すように、偏心ブロック体６３は傾倒してしまう。この偏心ブロック体６３の傾倒を阻止するには、例えば、特許文献１に記載されたように、偏心ブロック体６３に内蔵されたバラストタンクに注水して偏心ブロック体６３のバランスを保持することも考えられる。
【０００６】
また、特許文献２に記載された船舶の建造方法では、部分進水船舶及び大型ブロックの底面又は側面に自身のバラストタンクとは別の外部浮力体を付加して、部分進水船舶及び大型ブロックの進水時における平衡を維持している。かかる建造方法は、船舶に関するものであるが、上述した偏心ブロック体６３の建造において同様の外部浮力体を利用することも考えられる。
【特許文献１】特開昭６１−８５２９０号公報
【特許文献２】特開２００７−１５６２号公報
【発明の開示】
【発明が解決しようとする課題】
【０００７】
しかしながら、偏心ブロック体６３に内蔵されたバラストタンクを利用してバランスを保持する場合には、偏心ブロック体６３のバラストタンクを使用できるように電気系統の工事を完了させなければならず、偏心ブロック体６３の建造に手間がかかるとともに工期が長くなってしまうという問題がある。また、完成体の浮体構造物６１では不要なバラスト水を注水しているため、偏心ブロック体６３の喫水が上昇してしまい、完成体の建造や構造物上の機器に影響を及ぼすことにもなる。さらに、浮体構造物６１の完成体の状態で使用するバラストタンクを利用しているため、偏心ブロック体６３の適切なバランスの保持や微調整が困難であるという問題もある。
【０００８】
また、特許文献２に記載された外部浮力体は、一方向にトリム又はヒールが生じて偏心ブロック体６３が傾倒する場合を想定したものではなく、船舶の幅方向に揺動を生じさせるヒールを前提としたものである。船舶の建造における部分進水船舶及び大型ブロックは、船舶の長さ方向に分割されることが一般的である。したがって、部分進水船舶及び大型ブロックの幅方向の重心は分割したことにより幅方向中心からずれることはなく、特定の一方向にヒールが生じることはない。また、船舶は長さ方向に十分な長さを有し、部分進水船舶及び大型ブロックの長さ方向に揺動を生じさせるトリムが、部分進水船舶及び大型ブロックを傾倒させるほど大きくなることはない。すなわち、船舶の建造においては、重心が略中心に位置している幅方向のバランスを保持するように外部浮力体を両側に配置すればよく、長さ方向のバランスを考慮する必要はない。しかしながら、図６に示したような浮体構造物６１では、偏心ブロック体６３の分割面側（船舶に例えれば長さ方向側）に傾倒するようにトリム又はヒールが生じるため、特許文献２に記載した外部浮力体では、かかる傾倒を阻止することが難しく、特に、適正な喫水を維持しつつ水平に浮上させることができない。
【０００９】
本発明は、上述した問題点に鑑み創案されたものであり、一方向にトリム又はヒールが生じてブロック体が傾斜又は傾倒する場合であっても、浮上時のバランスを保持してブロック体を接合して完成体である浮体構造物を建造することができる浮体構造物の建造方法及び装置を提供することを目的とする。
【課題を解決するための手段】
【００１０】
本発明によれば、浮体構造物を複数のブロック体に分割し、各ブロック体をドック内で建造した後、各ブロック体を浮上させてドック外に移動させ、複数のブロック体を接合して浮体構造物を完成させる浮体構造物の建造方法であって、前記ブロック体のうち少なくとも一つのブロック体は、浮上時に一方向に傾斜又は傾倒する程度に重心がずれた偏心ブロック体であり、該偏心ブロック体の建造時に、偏心方向と反対側の側面部に荷重を付加する付加重量体を接続するとともに、前記偏心ブロック体の偏心方向と略垂直方向の両側面部に浮力体を接続し、前記偏心ブロック体の浮上時に生ずる傾斜又は傾倒を抑制するようにバランスを保持し、複数の前記ブロック体を接合して前記浮体構造物を完成させた後、前記偏心ブロック体から前記付加重量体及び前記浮力体を除去する、ことを特徴とする浮体構造物の建造方法が提供される。
【００１１】
また、前記浮体構造物を複数のブロック体に分割する際に、浮上時に一方向に傾倒しない安定ブロック体と、前記偏心ブロック体とに分割するようにしてもよい。さらに、前記浮体構造物を複数のブロック体に分割した際に、浮上時に傾倒する方向が定まらない不安定ブロック体を有し、該不安定ブロック体の揺動方向と略垂直方向の側面部に浮力体を接続して、該不安定ブロック体の浮上時のバランスを保持するようにしてもよい。
【００１２】
また、本発明によれば、浮体構造物を複数のブロック体に分割し、各ブロック体をドック内で建造した後、各ブロック体を浮上させてドック外に移動させ、複数のブロック体を接合して浮体構造物を完成させる際に使用される浮体構造物の建造装置であって、前記ブロック体のうち浮上時に一方向に傾斜又は傾倒する程度に重心がずれた偏心ブロック体に対して、偏心方向と反対側の側面部に接続される付加重量体と、前記偏心ブロック体の偏心方向と略垂直方向の両側面部に接続される浮力体と、を有し、前記付加重量体及び前記浮力体は、前記偏心ブロック体の浮上時に生ずる傾斜又は傾倒を抑制するように配置され、複数の前記ブロック体を接合して前記浮体構造物を完成させた後、前記偏心ブロック体から除去されるように構成されている、ことを特徴とする浮体構造物の建造装置が提供される。前記浮体構造物を複数のブロック体に分割した際に、浮上時に傾倒する方向が定まらない不安定ブロック体を有し、該不安定ブロック体の揺動方向と略垂直方向の側面部に接続された浮力体を有していてもよい。
【発明の効果】
【００１３】
上述した本発明の浮体構造物の建造方法及び装置によれば、浮体構造物を複数のブロック体に分割した際に、浮上時に一方向に傾斜又は傾倒する程度に重心がずれた偏心ブロック体が形成される場合であっても、付加重量体の荷重により偏心ブロック体に生ずる傾斜又は傾倒を抑制することができ、浮上時のバランスを保持してブロック体を接合して完成体である浮体構造物を建造することができる。また、個別の付加重量体を外部に接続したことにより、ブロック体の建造とは別に電気系統の工事を施工することもでき、ブロック体の工期に影響を及ぼすことがない。さらに、偏心ブロック体専用の付加重量体であるため、適切なバランスを保持することができ、微調整も容易に行うことができる。また、付加重量体とは別に浮力体を設けることにより、偏心ブロック体の喫水を下降させることができ、付加重量体を設けたことによる喫水の上昇を回避することができる。
【００１４】
また、本発明の浮体構造物の建造方法によれば、浮体構造物が、偏心ブロック体のみから構成される場合、偏心ブロック体と安定ブロック体とから構成される場合、偏心ブロック体と不安定ブロック体とから構成される場合、偏心ブロック体・安定ブロック体・不安定ブロック体とから構成される場合のいずれの場合であっても、偏心ブロック体の傾斜又は傾倒を抑制して完成体である浮体構造物を建造することができる。
【発明を実施するための最良の形態】
【００１５】
以下、本発明の実施形態について図１〜図５を用いて説明する。ここで、図１は、本発明に係る浮体構造物の建造方法を示す図であり、（Ａ）は偏心ブロック体を建造した状態、（Ｂ）は偏心ブロック体に本発明の建造装置を接続した状態、（Ｃ）は偏心ブロック体を浮上させた状態、（Ｄ）は偏心ブロック体をドック外に移動させた状態、（Ｅ）は偏心ブロック体同士を接続した状態、（Ｆ）は本発明の建造装置を除去した状態を示している。
【００１６】
図１（Ｆ）に示した浮体構造物１は、幅Ｄがドック２の幅ｄよりも大きいため、分割しなければドック２内で建造することができない。ここでは、浮体構造物１を略中央部で２つのブロック体に分割し、各ブロック体をドック２内で建造した後、各ブロック体を浮上させてドック２外に移動させ、２つのブロック体を接合して浮体構造物１を完成させる場合を示している。そして、浮体構造物１は略中心部に重心を有するため、２つのブロック体に分割すると、各ブロック体は浮上時に一方向（分割面側）に傾斜又は傾倒する程度に重心がずれた偏心ブロック体３，３を構成することとなる。
【００１７】
図１（Ａ）に示すように、浮体構造物１を２つの偏心ブロック体３，３に分割したことにより、各偏心ブロック体３は、ドック２内に収容できる幅Ｄ´に形成される。したがって、各偏心ブロック体３，３はドック２内で建造することができる。偏心ブロック体３の建造は、従来と同様に、ドック２の底面に盤木４を敷設し、盤木４上に偏心ブロック体３が建造される。ここで、偏心ブロック体３をそのまま浮上させようとすると、図６で説明したように、分割面側に傾斜し、最終的に傾倒することとなってしまう。
【００１８】
そこで、本発明では、図１（Ｂ）に示すように、偏心ブロック体３を建造した後、本発明の建造装置であるバラストタンク（付加重量体）５及びフローター（浮力体）６を接続している。バラストタンク５は、偏心ブロック体３が分割面側に傾斜又は傾倒しようとする力（トリム又はヒール）と拮抗してバランスを保持するための荷重付加装置である。また、フローター６は、バラストタンク５の荷重による喫水面の上昇を抑制して適正な喫水を保持するためのものである。なお、バラストタンク５及びフローター６の詳細な説明については後述する。
【００１９】
そして、図１（Ｃ）に示すように、ドック２内に注水して偏心ブロック体３を浮上させ、図１（Ｄ）に示すように、ドック２外の広い水域に移動させる。このとき、本発明では、バラストタンク５及びフローター６を接続しているため、偏心ブロック体３が分割面側に傾斜したり傾倒したりすることがなく、適正な喫水を保持しつつ偏心ブロック体３を浮上させることができる。バラストタンク５の荷重は、偏心ブロック体３が傾斜又は傾倒しようとする力と均衡するように予め計算した重量に設定されていてもよいし、注水及び排水を適宜行いながら偏心ブロック体３のバランスを保持するようにしてもよい。
【００２０】
各偏心ブロック体３，３を建造してドック２外の水域に移動させた後、図１（Ｅ）に示すように、各偏心ブロック体３，３の分割面を互いに接触させた状態に移動させ、分割面を溶接やボルト等により接合する。このとき、各偏心ブロック体３，３は、バラストタンク５及びフローター６により適切な喫水を保持しているため、各偏心ブロック体３，３を対峙させるだけで容易に接続作業に移行することができる。なお、偏心ブロック体３，３の喫水に誤差がある場合には、バラストタンク５を注水又は排水することにより、喫水が一致するように微調整をするようにしてもよい。最後に、各偏心ブロック体３，３からバラストタンク５及びフローター６を除去すれば、図１（Ｆ）に示したように、幅Ｄの浮体構造物１を完成させることができる。
【００２１】
次に、本発明に係る浮体構造物の建造装置について、図２及び図３を参照しつつ説明する。ここで、図２は、本発明に係る浮体構造物の建造装置の第一実施形態を示す図であり、（Ａ）は平面図、（Ｂ）は側面図である。また、図３は、本発明に係る浮体構造物の建造装置の他の実施形態を示す図であり、（Ａ）は第二実施形態、（Ｂ）は第三実施形態を示している。
【００２２】
図２（Ａ）及び（Ｂ）に示した本発明に係る浮体構造物の建造装置は、浮上時に一方向（分割面３ａ側）に傾斜又は傾倒する程度に重心Ｇがずれた偏心ブロック体３に対して、偏心方向と反対側の側面部に接続されるバラストタンク５と、偏心ブロック体３の偏心方向Ｆと略垂直方向の両側面部に接続される浮力体６，６と、から構成されている。
【００２３】
前記偏心ブロック体３は、例えば、１６角形の水平断面を有する浮体構造物１を鉛直方向に２分割したブロック体であり、その下端部には胴部３ｂよりも拡径した裾部３ｃを有し、分割面３ａ側の中央部には掘削装置や排泥装置等の上部構造物の一部を水面下に降下させるための開口部を構成する凹部３ｄを有している。また、図示した偏心ブロック体３は、浮体構造物１の重心である略中心で２分割したものであり、偏心ブロック体３の水平面内の重心Ｇは自身の水平面内の中心Ｏから分割面３ａ側にずれた位置となる。したがって、ドック２内に注水して偏心ブロック体３を浮上させようとした場合には、偏心ブロック体３に偏心方向Ｆの力が作用し、偏心ブロック体３は傾斜又は傾倒することとなる。なお、かかる偏心ブロック体３の構成は単なる一例であり、かかる構成に限定されるものではない。
【００２４】
前記バラストタンク５は、図２（Ｂ）に示すように、内部に重量物を収容可能に形成されている。ここでは、バラストタンク５の内部にポンプ５ａを配置し、バラストタンク５の内部に注水したり、バラストタンク５の内部から排水したりできるように構成されている。ただし、本発明のバラストタンク５は、かかる構成に限定されるものではなく、内部に注水可能なホースや配管等を配設して陸上やタグボート等の別の浮体構造物から注水又は排水するようにしてもよいし、砂や鉄球等のバラスト水以外の錘を利用して重量を調整できるようにしてもよいし、偏心ブロック体３が傾斜又は傾倒しようとする力と均衡するように予め計算した重量のバラスト水・砂・鉄球等の錘を収容するようにしてもよい。バラストタンク５の形状は、例えば、喫水の調整をし易くするために、裾部３ｃの厚さと同じ厚さに形成され、バラストタンク５に必要な容量を確保できるように長さ方向及び幅方向の形状が設定される。
【００２５】
また、図２（Ａ）に示すように、バラストタンク５と偏心ブロック体３とは、バラストタンク５の上面及び裾部３ｃの上面を連結する連結鋼板７により接続されている。連結鋼板７は各端部を溶接により連結することが好ましいが、ボルトにより連結してもよい。このように、バラストタンク５の上面と裾部３ｃの上面とを連結することにより、バラストタンク５の除去工程及び研磨工程を容易に行うことができる。勿論、連結鋼板７のような連結具を使用せずに、バラストタンク５と裾部３ｃとの接触面の外周を直に溶接するようにしてもよい。連結鋼板７は、例えば、図２（Ａ）に示すように、複数の薄板鋼板を並列して配置し、隣接する薄板鋼板を互いに連結した構造をなしている。
【００２６】
前記フローター６は、図２（Ｂ）に示すように、内部が空洞となるように鋼板により構成された箱形状をなしており、所定の浮力を発生できるように形成されている。フローター６は、バラストタンク５により傾斜又は傾倒方向のバランスを保持した状態の偏心ブロック体３をサポートする部材であり、主として、バラストタンク５により下降した喫水を上昇させ、偏心ブロック体３の喫水が許容限界内に収まるように調整する機能を有する。したがって、フローター６の容量（浮力）は、偏心ブロック体３の重量、バラストタンク５の重量（本体重量とバラスト水の重量の両方を含む）、喫水の許容限界、フローター６の重量等により設定される。例えば、図２（Ａ）に示すように、分割面３ａの両側に一対のフローター６を接続した場合において、偏心ブロック体３の重量が約４万トン、バラストタンク５の重量が約２７００トン、喫水が４ｍの条件では、各フローター６の容量（浮力）は約５００トン（両方で約１０００トン）に設定される。なお、フローター６は、バラストタンク５と同様に、連結鋼板７によりフローター６の上面と裾部３ｃの上面とが接続されている。
【００２７】
また、フローター６は、上述したように喫水の調整を行う機能を有するため、偏心ブロック体３が略水平状態を維持できるように浮力を付加する必要がある。したがって、フローター６の接続位置は、偏心ブロック体３の偏心方向Ｆに対して略垂直方向の両側面部であって、偏心ブロック体３の重心Ｇと略並列する位置であることが好ましい。また、フローター６は、分割面３ａから外方（ここでは偏心方向Ｆ）にはみ出ないようにしておくと、偏心ブロック体３の分割面３ａ同士を接触させた時にフローター６が邪魔になることがない。勿論、一方の偏心ブロック体３のフローター６が分割面３ａから外方にはみ出さざるを得ない場合には、他方の偏心ブロック体３のフローター６の形状を変形してフローター６同士の接触を回避させるようにすればよい。また、図示したフローター６は、一対のフローター６が同じ浮力を発生させるようにしているが、偏心ブロック体３の形状によっては一対のフローター６が異なる浮力を発生させるように構成してもよい。さらに、フローター６に替えて、バラストタンク５を接続するようにしてもよい。この場合、偏心ブロック体３の喫水や水平度をバラスト水の注水又は排水により適宜調整することができる。
【００２８】
図３（Ａ）に示した第二実施形態は、図２（Ａ）に示した第一実施形態のバラストタンク５を複数接続したものである。図示したバラストタンク５，５は、重心Ｇがずれた方向と反対側（中心Ｏを挟んで反対側）の側面部に接続され、その総荷重が偏心ブロック体３を傾斜又は傾倒させようとする力と均衡するように構成されている。かかる構成であっても、第一実施形態と同様の効果を奏する。また、ここでは、偏心ブロック体３が断面１６角形状の浮体構造物を２分割したものであるが、例えば、断面６角形状や断面４角形状の浮体構造物を２分割した場合のように、略偏心方向Ｆに十分な長さの側面部を有する場合には、略偏心方向Ｆに延びる側面部にバラストタンク５を接続するようにしてもよい。
【００２９】
図３（Ｂ）に示した第三実施形態は、図２（Ａ）に示した第一実施形態の偏心ブロック体３の形状が異なるものである。図示した偏心ブロック体３は、断面がドーナツ形状を半分に分割した形状をなしている。このように、図２（Ａ）に示した裾部３ｃを有しない偏心ブロック体３の場合には、バラストタンク５及びフローター６は各上面と偏心ブロック体３の側面部とがリブ状に配列された薄板鋼板から構成される連結鋼板７により接続される。なお、裾部３ｃの厚さが図２（Ａ）に示したものよりも厚い場合にも、図３（Ｂ）に示した接続方法を適用することができる。
【００３０】
続いて、本発明に係る浮体構造物の建造方法の他の実施形態について、図４及び図５を参照しつつ説明する。ここで、図４は、浮体構造物の他の分割方法を示す図であり、（Ａ）は２分割する場合の他の分割方法、（Ｂ）は３分割する場合の分割方法を示している。また、図５は、浮体構造物を３分割する場合の他の建造方法を示す図であり、（Ａ）は浮体構造物の側面図、（Ｂ）はブロック体接合時の平面図である。
【００３１】
図４（Ａ）に示した浮体構造物１の分割方法は、浮体構造物１を２つのブロック体に分割する際に、浮上時に一方向に傾倒しない安定ブロック体４１と、偏心ブロック体３とに分割したものである。浮体構造物１の幅Ｄがドック２よりも少しだけ大きいような場合には、浮体構造物１の端部寄りの部分で２分割して、安定ブロック体４１と偏心ブロック体３とに分割するようにしてもよい。かかる分割方法を適用した建造方法では、本発明の建造装置であるバラストタンク５やフローター６を使用する箇所を減らすことができ、建造費用を低減したり、工期を短縮したりすることができる。なお、安定ブロック体４１が一方向に傾斜して喫水の水平度を維持できない場合には、安定ブロック体４１の分割面寄りの側面部にバラストタンク５又はフローター６を接続するようにしてもよい。そして、図１に示した建造方法により偏心ブロック体３を建造し、安定ブロック体４１を従来の建造方法により建造し、偏心ブロック体３及び安定ブロック体４１を浮上させてドック２外に移動させ、ドック２外で偏心ブロック体３と安定ブロック体４１とを接合して浮体構造物１を完成させる。
【００３２】
図４（Ｂ）に示した浮体構造物１の分割方法は、浮体構造物１を３つのブロック体に分割する際に、浮上時に一方向に傾倒しない安定ブロック体４１と、２つの偏心ブロック体３，３とに分割したものである。浮体構造物１の幅Ｄがドック２よりも大き過ぎるような場合には、浮体構造物１の両端部寄りの部分で３分割して、安定ブロック体４１と偏心ブロック体３，３とに分割するようにしてもよい。かかる分割方法を適用した建造方法では、中央部の安定ブロック体４１は重心がずれていないため、喫水面の水平度を維持して浮上させることができ、傾斜又は傾倒することがなく、本発明の建造装置であるバラストタンク５やフローター６を使用する必要がない。したがって、両端部の偏心ブロック体３，３にのみ本発明の建造装置であるバラストタンク５やフローター６を使用して建造すればよい。そして、建造後の安定ブロック体４１及び偏心ブロック体３，３を浮上させてドック２外に移動させ、ドック２外で接合して浮体構造物１を完成させることができる。なお、安定ブロック体４１と偏心ブロック体３，３との喫水を一致させることが困難な場合には、安定ブロック体４１の側面部にバラストタンク５又はフローター６を接続して喫水を調整できるようにしてもよい。
【００３３】
図５（Ａ）及び（Ｂ）に示した浮体構造物１の建造方法は、浮体構造物１を３つのブロック体に分割する際に、浮上時に傾倒する方向が定まらない不安定ブロック体５１と偏心ブロック体３，３とに分割し、不安定ブロック体５１の揺動方向と略垂直方向の側面部にフローター（浮力体）５２，５２を接続して、不安定ブロック体５１の浮上時のバランスを保持するようにしたものである。浮体構造物１の幅Ｄとドック２の大きさとの関係上、図５（Ａ）に示したように分割せざるを得ない場合もある。すなわち、中央部のブロック体が図４（Ｂ）に示した安定ブロック体４１のように安定して浮上せず、左右の分割面側に揺動していずれかの方向に傾倒してしまう場合を考慮したものである。
【００３４】
かかる場合、図５（Ｂ）に示すように、不安定ブロック体５１の側面部にフローター５２，５２を接続して、不安定ブロック体５１が傾倒しないようにすればよい。このとき、偏心ブロック体３，３の分割面側にはフローター６が接続されているため、このフローター６と不安定ブロック体５１のフローター５２，５２とが接触しないようにする必要がある。そこで、不安定ブロック体５１のフローター５２は、略Ｔ字状に形成され、縦棒部分を不安定ブロック体５１の側面部に接続してフローター６との接触を避けつつ、横棒部分で不安定ブロック体５１のバランスを保持させるようにしている。
【００３５】
本発明は上述した実施形態に限定されず、例えば、船舶等のように一方向に長い浮体構造物をブロック建造する場合であっても両端部のブロック体に傾斜又は傾倒が生じる場合には本発明の建造方法及び装置を適用することができる、浮体構造物１が偏心ブロック体３・安定ブロック体４１・不安定ブロック体５１とに分割される場合にも本発明の建造方法及び装置を適用することができる等、本発明の趣旨を逸脱しない範囲で種々変更が可能であることは勿論である。
【図面の簡単な説明】
【００３６】
【図１】本発明に係る浮体構造物の建造方法を示す図であり、（Ａ）は偏心ブロック体を建造した状態、（Ｂ）は偏心ブロック体に本発明の建造装置を接続した状態、（Ｃ）は偏心ブロック体を浮上させた状態、（Ｄ）は偏心ブロック体をドック外に移動させた状態、（Ｅ）は偏心ブロック体同士を接続した状態、（Ｆ）は本発明の建造装置を除去した状態を示している。
【図２】本発明に係る浮体構造物の建造装置の第一実施形態を示す図であり、（Ａ）は平面図、（Ｂ）は側面図である。
【図３】本発明に係る浮体構造物の建造装置の他の実施形態を示す図であり、（Ａ）は第二実施形態、（Ｂ）は第三実施形態を示している。
【図４】浮体構造物の他の分割方法を示す図であり、（Ａ）は２分割する場合の他の分割方法、（Ｂ）は３分割する場合の分割方法を示している。
【図５】浮体構造物を３分割する場合の他の建造方法を示す図であり、（Ａ）は浮体構造物の側面図、（Ｂ）はブロック体接合時の平面図である。
【図６】従来の浮体構造物の建造方法で、ドック内に収容できない大きさの浮体構造物を建造しようとした場合を示す図であり、（Ａ）は浮体構造物の完成体の状態、（Ｂ）は浮体構造物を左右に分割したブロック体を建造した状態、（Ｃ）はドック内に注水を開始した状態、（Ｄ）はブロック体が傾倒した状態を示している。
【符号の説明】
【００３７】
１，６１  浮体構造物
２，６２  ドック
３，６３  偏心ブロック体
３ａ  分割面
３ｂ  胴部
３ｃ  裾部
３ｄ  凹部
４  盤木
５  バラストタンク（付加重量体）
５ａ  ポンプ
６，５２  フローター（浮力体）
７  連結鋼板
４１  安定ブロック体
５１  不安定ブロック体
【図１】
0005085294.tif 000002
【図２】
0005085294.tif 000003
【図３】
0005085294.tif 000004
【図４】
0005085294.tif 000005
【図５】
0005085294.tif 000006
【図６】
0005085294.tif 000007